(57)【要約】      （修正有）【課題】携帯に便利で組立工程も減少させる充気式テントの提供。【解決手段】充気式テントは、テント本体、充填弁、少なくとも一つの出入口、バスルーム、休憩設備、及び、テント部品箱からなり、テント本体は、テント底盤、外壁、内壁、及び、テント頂部、からなる。充気を完成すると、内壁と外壁がテント壁を構成し、充気空間を形成する。テント底盤、内壁とテント頂部はテント内空間を形成し、充填弁が外壁に結合されて、気体をテント本体の充気空間中に充填する。出入口は、テント本体のテント壁に開設され、バスルームがテント空間内の選定された位置に設置され、テント道具箱は、少なくとも一つの水槽を有し、進水管路、排水管路によりバスルームに連通する。【選択図】図３
0003136556.tif 000002
【実用新案登録請求の範囲】
【請求項１】
充気式テントであって、
テント底盤、外壁、内壁、及び、テント頂部、からなり、前記内壁と前記外壁がテント壁を構成し、その間に充気空間を形成し、充気を完成すると、前記テント底盤、内壁とテント頂部がテント内空間を形成するテント本体と、
前記外壁に結合され、気体を前記本体の充気空間中に充填する充填弁と、
前記テント本体のテント壁に開設され、人の出入りが可能な少なくとも一つの出入口と、
前記テント内空間の選定位置に設置され、前記充気空間に連通するバスルームと、
少なくとも一つの水槽を有し、進水管路と排水管路により前記バスルームに連通するテント部品箱と、
からなることを特徴とする充気式テント。
【請求項２】
前記バスルームと各仕切り間は充気空間に連通することを特徴とする請求項１に記載の充気式テント。
【請求項３】
前記進水管路は、進水孔と前記進水孔に連通する清水槽を有し、前記排水管路は、排水孔と前記排水孔に連通する汚水槽を有することを特徴とする請求項１に記載の充気式テント。
【請求項４】
前記バスルームは前記バスルームの進排水をするバス管路を有することを特徴とする請求項１に記載の充気式テント。
【請求項５】
前記テント道具箱は、更に、テントに充分な電力を供給する発電機と配電盤を有することを特徴とする請求項１に記載の充気式テント。
【請求項６】
充気式テントであって、
テント底盤、外壁、内壁、及び、テント頂部、からなり、前記内壁と前記外壁がテント壁を構成し、その間に充気空間を形成し、充気を完成すると、前記底盤、内壁とテント頂部がテント内空間を形成するテント本体と、
前記外壁に結合され、気体を前記本体の充気空間中に充填する充填弁と、
前記テント本体のテント壁に開設され、人の出入りが可能な少なくとも一つの出入口と、
前記テント内空間の選定位置に設置され、前記充気空間に連通し、前記充気式テントが充気される時、所定の形状を形成する休憩設備と、
からなることを特徴とする充気式テント。
【請求項７】
前記休憩設備はベッド、ソファー、テレビラックを有することを特徴とする請求項６に記載の充気式テント。
【考案の詳細な説明】
【技術分野】
【０００１】
本考案は充気式テントに関するものであって、特に、進水管路、排水管路を有する充気式テントに関する。
【背景技術】
【０００２】
一般の旅行者は旅行に出かける時、固定地点の旅館内に宿泊するが、現在、旅行の形態は様々で、多変な旅行地点があり、例えば、山や辺鄙な場所などの時には、旅館では旅行者の要求を満たすことが出来なくなっている。この問題を解決するため、業者は旅行者が限られた時間、地点に宿泊する必要がないように、キャンプテントを開発した。
【０００３】
しかし、一般のキャンプテントの設計は、主に、骨組み、リール、及び、骨組み外を包覆する棚布からなり、展開する時、リールの弾力によりテントを完全に展開する。
【０００４】
このようなテントの構造は、折り畳みが便利で、且つ、展開後のテントは組み立てが容易である。しかし、使用者は一定の工程によりテントの組み立てを完成しなければならないので、現代人の便利性を追及する要求に符合しない。更に、テント構造の素子が損壊する時、まず、損壊した素子を交換しないと使えないので、面倒である。この他、テント構造は、リール、棚布、及び、骨組み等の素子からなるので、携帯に不便である。
【０００５】
よって、本考案は、使用者は充気工具を使用するだけで、気体をテントに充填し、テントを所定の形状にすることができる充気式のテントを提供することを目的とする。
【０００６】
本考案は、進水管路、排水管路を有すると共に、配電盤、発電機をテント部品箱内に装着し、使用者が、テント部品箱により、充気式テントの進排水と電力供給を達成することをもう一つの目的とする。
【考案の開示】
【考案が解決しようとする課題】
【０００７】
本考案は公知のテント構造が、複数の支承素子を架設して使用目的を達成するのを克服し、いかなる支承素子も架設することなく、充気工具を利用するだけで、充気式テントが所定の気体を充填し、携帯上の負担を排除するだけでなく、公知の組立工程も減少させる。
【０００８】
更に、本考案は、使用上の快適感を追求するため、更に、充気式テント内の空間に、休憩設備とバスルーム設備を設置し、バスルームは進水管路と排水管路を有するテント部品箱を結合し、バスルーム設備の進排水用とし、使用上、更に便利にする。
【課題を解決するための手段】
【０００９】
本考案の充気式テントは、テント本体、充填弁、少なくとも一つの出入口、バスルーム、休憩設備、及び、テント部品箱からなり、テント本体は、テント底盤、外壁、内壁、及び、テント頂部、からなる。充気を完成すると、内壁と外壁がテント壁を構成し、充気空間を形成する。テント底盤、内壁とテント頂部はテント内空間を形成し、充填弁が外壁に結合されて、気体をテント本体の充気空間中に充填する。出入口は、テント本体のテント壁に開設され、バスルームがテント空間内の選定された位置に設置され、テント道具箱は、少なくとも一つの水槽を有し、進水管路、排水管路によりバスルームに連通する。
【考案の効果】
【００１０】
充気工具を利用するだけで、テントが所定の形状に形成され、携帯上の負担を排除するだけでなく、公知の組立工程も減少させる。また、使用上の快適感を追求するため、更に、充気式テント内の空間に、休憩設備とバスルーム設備を設置することができる。            
【考案を実施するための最良の形態】
【００１１】
図１〜図３は本考案の一体成型の充気式テント１００を示す図である。充気式テント１００は、テント本体１、充填弁２、少なくとも一つの出入口３、バスルーム４、休憩設備５、及び、テント部品箱６からなり、使用者が充気式テント１００を使用しやすくなっている。
【００１２】
テント本体１は、テント底盤１１、外壁１２１と内壁１２２を結合してなるテント壁１２、テント頂部１３、からなる。テント底盤１１は、複数の底盤固定素子１１１（杭など）により固定し、充気式テント１００が更に安定して地面に固定される。外壁１２１と内壁１２２は充気空間１２３を形成し、且つ、外壁１２１は充填弁２を結合し、気体を充気空間１２３に充填する。出入口３は、テント本体１のテント壁１２に開設される。使用時、使用者は選定された充気工具（手動充気筒、電動充気装置等、気体を充填することができる工具）により、充填気体を充填弁２から充気空間１２３に送入し、充気式テント１００が所定の形状を形成する。
【００１３】
充気式テント１００はバスルーム４、休憩設備５、及び、バスルーム４と休憩設備５間を介する二仕切り４０１、４０２を有し、バスルーム４、仕切り４０１、４０２と休憩設備５は、それぞれ、充気空間１２３に連通する（図４で示される）。バスルーム４はバス管路４１、シャワー器４２、洗面台４３、及び、便器４４からなり、シャワー器４２、洗面台４３、及び、便器４４は、それぞれ、バス管路４１に連通する。
【００１４】
休憩設備５は、ベッド５１、ソファー５２、テレビラック５３、からなる。充気式テント１００が気体を充填する時、バスルーム４と休憩設備５は充気されて、所定の形状を形成して使用でき、図４は充気後の断面図である。テント底盤１１、内壁１２２、テント頂部１３はテント空間１４を構成し、出入口３によりテント空間１４に出入りでき、使用者が充気の動作を行い、テントの充気が終了し、各設備が定位した後、使用者はテントを使用することができる。
【００１５】
この他、充気式テント１００に結合されるテント道具箱６は、進水管路６１と排水管路６２を有し、進水管路６１は進水孔６１１と進水孔６１１に連通する清水槽６１２を有する。排水管路６２は、排水孔６２１と排水孔６２１に連通する汚水槽６２２を有する。進水管路６１と排水管路６２は、それぞれ、外接の管路７によりバスルーム４のバスルーム管路４１を連通し、進水管路６１、排水管路６２をバスルーム４の進排水用途にする。
【００１６】
更に、テント道具箱６は、発電機６３と配電盤６４を有し、充気式テント１００に充分な電力を供給する。使用者はテント道具箱６とバスルーム４と休憩設備５を合わせて使用する時、水、電力の供給不足を心配する必要がなく、充気式テントの使用が更に便利になる。
【００１７】
充気式テントのテント内空間１４の流通性を確保するため、テント本体１のテント壁１２に複数の窓８を設置し、テント空間１４と外界空気の流通性を維持する。
【図面の簡単な説明】
【００１８】
【図１】本考案の充気式テントの充填前の平面図である。
【図２】本考案の充気式テントの充填後の平面図である。
【図３】本考案の充気式テント内空間の平面図である。
【図４】図３の４−４断面図である。
【符号の説明】
【００１９】
１００    充気式テント
１        テント本体
１１      テント底盤
１１１    底盤固定元件
１２      テント壁
１２１    外壁
１２２    内壁
１２３    充気空間
１３      テント頂部
１４      テント内空間
２        充填弁
３        出入口
４        バスルーム
４０１，４０２    仕切り
４１      バス管路
４２      シャワー器
４３      洗面台
４４      便器
５        休憩設備
５１      ベッド
５２      ソファー
５３      テレビラック
６        テント道具箱
６１      進水管路
６１１    進水孔
６１２    清水槽
６２      排水管路
６２１    排水孔
６２２    汚水槽
６３      発電機
６４      配電盤
７        外接管路
８        窓
【図１】
0003136556.tif 000003
【図２】
0003136556.tif 000004
【図３】
0003136556.tif 000005
【図４】
0003136556.tif 000006